(57)【特許請求の範囲】
【請求項１】
襖面材の四周を取り囲む方形の襖枠のうち、少なくとも、縦枠と下枠をアルミ製とし、縦
枠と下枠の結合用部材に敷居の溝端面と当接するゴムを設けた襖であって、前記縦枠は、
縦板部とその両側辺から略直角に立ち上がり且つ内面に２段の凸条が形成された一対の側
板部とで断面略Ｕ字状に形成され、前記下枠は、両端近傍に切欠孔が形成された底板部と
その両側辺から略直角に立ち上がった一対の側板部とで断面略Ｕ字状に形成されると共に
、下枠の外寸が縦枠のＵ字開口の内寸と等しく且つＵ字開口から１段目の凸条間の間隔よ
りも広く設定され、前記結合用部材は、縦枠の端部に差し込まれ且つ１段目の凸条と２段
目の凸条とで挟持される幅広板部とその外側に連設された幅狭板部とから成る垂直差込み
片と、下枠の端部に差し込まれ且つ側板部で挟持される水平差込み片とを備え、当該水平
差込み片の下部に前記切欠孔に対する係止爪が連設されている本体と、前記垂直差込み片
の幅狭板部の外側面に接着され且つ縦枠の下端から突出する部分を縦枠内に挿入される部
分よりも厚肉とした形状のゴムとで構成されていることを特徴とする襖。
【発明の詳細な説明】
【技術分野】
【０００１】
本発明は、和室等の引戸に用いられる襖に関し、詳しくは、襖面材の四周を取り囲む方
形の襖枠のうち、少なくとも、縦枠と下枠をアルミ製とした襖の改良に関する。
【背景技術】
【０００２】
近年、集合住宅等において、和室を隣接するリビングルーム等と開放的かつ一体的に使
用できるようにする方法として、図１に示すように、和室のコーナー部分に壁や柱を設け
ず、襖だけで仕切る、いわゆるコーナー和室とする提案が多くなっている。
【０００３】
このコーナー和室では、襖を全て引き開けることによって、開放的な空間を創出するこ
とが可能となる。但し、こうしたコーナー和室を実現するためには、襖自体も、従来のよ
うな高さ１８００ｍｍの襖ではなく、和室や隣接するリビングルームの天井高さに合わせ
た２４００ｍｍ〜２５００ｍｍの高さを有する襖が必要となってくるのが現実である。そ
して、襖の高さが高くなると、構造上の強度不足などから、襖に反りや撓みが生じるとい
う問題が発生することになる。
【０００４】
そのため、従来では、特許文献１〜３に見られるように、襖面材の四周を取り囲む方形
の襖枠（左右一対の縦枠、上枠、下枠等で構成される。）のうち、少なくとも、縦枠をア
ルミ製にして、襖の構造的強度を上げることで、反りや撓みを防止する方法がとられてい
る。
【０００５】
ところが、コーナー和室では、襖同士が直交する、いわゆる出会い襖となり、当然、図
９に示すように、敷居２の溝２ａが直交することになる。そのため、勢い良く襖を閉めよ
うとすると、図１０に示すように、敷居２の溝端部に襖枠５が当り、その衝撃で溝端部が
欠ける可能性がある。即ち、鴨居３の場合、襖１を敷居２の溝２ａに落とし込んで着脱す
る必要上、敷居２よりも溝３ａが深くなっているので、襖枠５との当接面積が広くて、衝
撃力が分散され、さほど問題にならないが、敷居２の溝２ａは浅く、それだけ単位面積あ
たりの衝撃力が大きくなるため、溝端部が欠けやすいのである。特に、襖１の構造的強度
を上げるために、縦枠や下枠にアルミの押出し成形品を用いると、こうした現象が顕著に
現れるとの報告もある。
【０００６】
対処の方法として、鴨居３の方が敷居２より溝３ａの深さが深くて衝撃に強いので、鴨
居３の溝３ａを敷居２の溝２ａより僅かに短くして、襖１を閉めるとき、鴨居３の溝端部
に一旦襖枠５を当てて、衝撃を和らげた後、敷居２の溝端部に襖枠５が当るようにする工
夫がとられることもあるが、敷居２や鴨居３の溝２ａ，３ａが直交する出会い襖において
は、直交する溝の両方に採用できないという問題がある。
【０００７】
【特許文献１】特開平１０−２３８２２６号公報
【特許文献２】特開平１１−３００７９号公報
【特許文献３】特開２００２−１１５４６４号公報
【発明の開示】
【発明が解決しようとする課題】
【０００８】
このような現状に鑑み、本発明は、敷居や鴨居の溝が直交する出会い襖においても、敷
居の溝端部の欠損を防止できるようにした襖を提供するものである。
【課題を解決するための手段】
【０００９】
以上の技術的な課題を解決するために、本発明の請求項１に係る襖は、襖面材の四周を
取り囲む方形の襖枠のうち、少なくとも、縦枠と下枠をアルミ製とし、縦枠と下枠の結合
用部材に敷居の溝端面と当接するゴムを設けた襖であって、前記縦枠は、縦板部とその両
側辺から略直角に立ち上がり且つ内面に２段の凸条が形成された一対の側板部とで断面略
Ｕ字状に形成され、前記下枠は、両端近傍に切欠孔が形成された底板部とその両側辺から
略直角に立ち上がった一対の側板部とで断面略Ｕ字状に形成されると共に、下枠の外寸が
縦枠のＵ字開口の内寸と等しく且つＵ字開口から１段目の凸条間の間隔よりも広く設定さ
れ、前記結合用部材は、縦枠の端部に差し込まれ且つ１段目の凸条と２段目の凸条とで挟
持される幅広板部とその外側に連設された幅狭板部とから成る垂直差込み片と、下枠の端
部に差し込まれ且つ側板部で挟持される水平差込み片とを備え、当該水平差込み片の下部
に前記切欠孔に対する係止爪が連設されている本体と、前記垂直差込み片の幅狭板部の外
側面に接着され且つ縦枠の下端から突出する部分を縦枠内に挿入される部分よりも厚肉と
した形状のゴムとで構成されていることを特徴としている。
【００１０】
【発明の効果】
【００１１】
請求項１に記載の発明によれば、襖面材の四周を取り囲む方形の襖枠のうち、少なくと
も、縦枠と下枠をアルミ製として、襖の構造的強度を上げたにもかかわらず、襖を勢い良
く閉めた際、結合用部材の戸当りゴムが敷居の溝端部に当接してクッション材となる。従
って、敷居や鴨居の溝が直交する出会い襖においても、襖を閉めた際の衝撃力が吸収緩和
され、敷居の溝端部の欠損を防止できる。
【００１２】
殊に、上記の発明によれば、戸当りゴムの大半が縦枠に挿入され、縦枠の縦板部と本体
の垂直差込み片との間で挟持されるため、戸当りゴムの接着面が剥がれる虞がなく、また
、戸当りゴムの露出が必要最小限に抑えられるので、戸当りゴムが目立たず、襖の美観を
確保できる。
【発明を実施するための最良の形態】
【００１３】
以下、本発明の実施形態の一例を説明する。図１は本発明に係る襖１が用いられたコー
ナー和室を示し、２は敷居、３は鴨居である。襖１は和室や隣接するリビングルームの天
井高さに合わせて２４００ｍｍ〜２５００ｍｍの高さに設定されており、襖面材４とその
四周を取り囲む方形の襖枠５とで構成されている。
【００１４】
襖面材４は、図２〜図４に示すように、ダンボール紙やハニカム構造の紙などを用いた
心材４ａと表面仕上げ材４ｂとで構成されており、襖枠５は、アルミ製（いわゆる木調の
アルミ押出し成形品である）の縦枠６，６、下枠７、上枠８と、縦枠６と下枠７の結合用
部材９、縦枠６と上枠８の結合用部材（これは、縦枠６と下枠７の結合用部材９と同一構
造であるため、図示しない。）とで構成されている。２ａは敷居２の溝、３ａは鴨居３の
溝である。
【００１５】
前記縦枠６は、図５に示すように、縦板部６ａとその両側辺から略直角に立ち上がり且
つ内面に２段の凸条ａ，ｂが形成された一対の側板部６ｂ，６ｂとで断面略Ｕ字状に形成
されている。
【００１６】
下枠７と上枠８は同一形状であるため、下枠７についてのみ説明する。下枠７は、図５
に示すように、両端近傍に切欠孔１０が形成された底板部７ａとその両側辺から略直角に
立ち上がり且つ内面に１段の凸条ｃが形成された一対の側板部７ｂ，７ｂとで断面略Ｕ字
状に形成されている。また、下枠７の外寸は、縦枠６のＵ字開口の内寸と等しく且つＵ字
開口から１段目の凸条ａ，ａ間の間隔よりも広く設定されており、下枠７の端部を縦枠６
の内部に挿入することにより、下枠７の端部が１段目の凸条ａ，ａに当接して、それ以上
の挿入が阻止され、下枠７が位置決めされるように構成されている。また、襖面材４の厚
さは、下枠７の外寸と略等しく設定され、襖面材４の端部を圧して下枠７のＵ字開口に凸
条ｃと当接する位置まで差し込むように構成されている。
【００１７】
結合用部材９には、敷居２の溝端面Ｓと当接する位置（縦枠６と上枠７の結合用部材に
あっては、鴨居３の溝端面と当接する位置）に硬質の戸当りゴム１１が設けられている。
具体的には、前記結合用部材９は、縦枠６の端部に差し込まれ且つ１段目の凸条ａ，ａと
２段目の凸条ｂ，ｂとで挟持される幅広板部１２ａとその外側に連設された幅狭板部１２
ｂとから成る垂直差込み片１２と、下枠７の端部に差し込まれ且つ側板部７ｂ，７ｂで挟
持される水平差込み片１３とを備え、当該水平差込み片１３の下部に前記切欠孔１０に対
する係止爪１４が連設されているアルミ製（又は合成樹脂製）の本体１５と、前記垂直差
込み片１２の幅狭板部１２ｂの外側面に接着され且つ縦枠６の下端から突出する部分１１
ａを縦枠６内に挿入される部分１１ｂよりも厚肉とした形状の戸当りゴム１１とで構成さ
れている。本体１５の下端部１５ａの横幅は、図３、図５、図６に示すように、縦枠６の
外寸よりも若干広くなっており、その下面には低摩擦樹脂のシート１５ｂが貼着されてい
る。
【００１８】
そして、図８の（Ａ）に示すように、結合用部材９の垂直差込み片１２とそれに接着さ
れた戸当りゴム１１を縦枠６の端部に、戸当りゴム１１の厚肉とした部分１１ａ及び本体
１５の下端部１５ａが縦枠６の端面に当接する位置まで差し込み、次いで、図８の（Ｂ）
に示すように、水平差込み片１３を下枠７の端部に差し込んで、係止爪１４を下枠７の底
板部７ａに形成されている切欠孔１０に係合させ、抜け止めするように構成されている。
【００１９】
上記の構成によれば、敷居２や鴨居３の溝が直交する出会い襖であるため、襖１の高さ
を和室や隣接するリビングルームの天井高さに合わせて２４００ｍｍ〜２５００ｍｍの高
さとすると共に、襖面材４の四周を取り囲む方形の襖枠５の全体をアルミ製として、襖１
の構造的強度を上げたにもかかわらず、襖１を勢い良く閉めた際、結合用部材９の戸当り
ゴム１１が敷居２の溝端部Ｓに当接してクッション材となる。
【００２０】
従って、敷居２や鴨居３の溝が直交する出会い襖であるにもかかわらず襖１を閉めた際
の衝撃力が吸収緩和され、敷居２の溝端部Ｓの欠損を防止できる。
【００２１】
殊に、上記の構成によれば、戸当りゴム１１の大半（１１ｂ）が縦枠6に挿入され、縦
枠６の縦板部６ａと本体１５の垂直差込み片１２との間で挟持されるため、戸当りゴム１
１の接着面が剥がれる虞がなく、また、戸当りゴム１１のうち、下端側の厚肉とした部分
１１ａだけが縦枠６の下端から突出しており、戸当りゴム１１の露出が必要最小限に抑え
られるので、戸当りゴム１１が目立たず、襖１の美観を確保できる。
【００２２】
以上、本発明の実施形態を説明したが、本発明は上述した実施形態のみに限定されるも
のではなく、例えば、襖面材４の四周を取り囲む方形の襖枠５のうち、縦枠６と下枠７だ
けをアルミ製とした襖に本発明を適用してもよい。また、低摩擦樹脂のシート１５ｂを省
略し、シート１５ｂに相当する部分を本体１５と一体に成形して実施してもよい。
【図面の簡単な説明】
【００２３】
【図１】本発明の実施形態を示すコーナー和室の概略斜視図である。
【図２】襖を閉めた状態における要部の縦断側面図である。
【図３】図２のＡ−Ａ線断面図である。
【図４】襖を閉めた状態における要部の横断平面図である。
【図５】襖の要部の分解斜視図である。
【図６】結合用部材の斜視図である。
【図７】結合用部材の側面図である。
【図８】結合用部材の使用方法の説明図である。
【図９】出会い襖の問題点を説明する敷居の平面図である。
【図１０】出会い襖の問題点を説明する概略側面図である。
【符号の説明】
【００２４】
１…襖
２…敷居
２ａ…溝
３…鴨居
４…襖面材
５…襖枠
６…縦枠
６ａ…縦板部
６ｂ…側板部
７…下枠
７ａ…底板部
７ｂ…側板部
８…上枠
９…結合用部材
１０…切欠孔
１１…戸当りゴム
１２…垂直差込み片
１２ａ…幅広板部
１２ｂ…幅狭板部
１３…水平差込み片
１４…係止爪
１５…本体
Ｓ…溝端部
ａ…凸条
ｂ…凸条
ｃ…凸条
【図１】
0005053747.tif 000002
【図２】
0005053747.tif 000003
【図３】
0005053747.tif 000004
【図４】
0005053747.tif 000005
【図５】
0005053747.tif 000006
【図６】
0005053747.tif 000007
【図７】
0005053747.tif 000008
【図８】
0005053747.tif 000009
【図９】
0005053747.tif 000010
【図１０】
0005053747.tif 000011